(57)【特許請求の範囲】
【請求項１】
弾性的な伸縮性を有しない線材と、該線材に配列した多数の繊維よりなる人造睫毛とからなり、
該線材は、目尻側に達する細幅部と目頭側に取り付けられる端部近傍の広幅部とからなり、
細幅部は、厚さが０．１ｍｍ〜０．３ｍｍの範囲で、幅が０．１ｍｍ〜０．３ｍｍの範囲であり、
広幅部は、厚さが０．１ｍｍ〜０．３ｍｍの範囲で、幅が０．３ｍｍ〜５．０ｍｍの範囲であり、
線材は、基材と基材に添設する拡張材とから構成され、
細幅部は、基材のみにより構成され、
広幅部は、基材に対して瞼の上方側にのみ拡張材を添設して構成した
ことを特徴とする二重瞼形成機能を有する付け睫毛。
【請求項２】
弾性的な伸縮性を有しない線材と、該線材に配列した多数の繊維よりなる人造睫毛とからなり、
該線材は、目尻側に達する細幅部と目頭側に取り付けられる端部近傍の広幅部とからなり、
細幅部は、厚さが０．１ｍｍ〜０．３ｍｍの範囲で、幅が０．１ｍｍ〜０．３ｍｍの範囲であり、
広幅部は、厚さが０．１ｍｍ〜０．３ｍｍの範囲で、幅が０．３ｍｍ〜５．０ｍｍの範囲であり、
線材は、基材と基材に添設する拡張材とから構成され、
細幅部は、基材のみにより構成され、
広幅部は、基材に対してその上下側に拡張材を添設して構成した
ことを特徴とする二重瞼形成機能を有する付け睫毛。
【請求項３】
広幅部の長さが３ｍｍ〜１０ｍｍの範囲である
ことを特徴とする請求項１又は２に記載の二重瞼形成機能を有する付け睫毛。
【発明の詳細な説明】
【技術分野】
【０００１】
本発明は、付け睫毛に関し、特に一重瞼を二重瞼に変化させる効果を有する二重瞼形成機能を有する付け睫毛に関する。
【背景技術】
【０００２】
一般に、目元をくっきりとさせるために使用される簡便な化粧用具としては、先行技術文献を例示するまでもなく上瞼の睫毛の生え際に貼着する付け睫毛が古くから用いられている。この付け睫毛は細い線材に、人造睫毛となる多数の繊維を一方向に揃えて配したものであり、該線材に塗布された接着剤により上瞼の睫毛の生え際に沿って貼着するものである。該線材の接着剤は、人造睫毛を配した側とは逆側に塗布されており、該線材を上瞼の睫毛生え際に貼着すれば、人造睫毛は上瞼の睫毛生え際から地睫毛（もとから生えている本人の睫毛）と共に生えだしているような見映えとなる。
【０００３】
また、特許文献１に示されるように上瞼の睫毛生え際の上方に貼着する二重瞼形成用線材が提案されている。この二重瞼形成用線材は、伸縮性のある線材より形成され、睫毛生え際の上方横方向に当該線材を引っ張った状態で貼着することにより睫毛生え際の上方に窪みを形成し、この窪みが上瞼を開いたときにひだとなることにより二重瞼を形成するものである。
【０００４】
上記の付け睫毛及び二重瞼形成用線材をそれぞれ使用して睫毛を長く見せ、かつ、一重瞼を二重瞼に変形させるとなると、付け睫毛を上瞼の睫毛の生え際に沿って貼着し、かつ、二重瞼形成用線材を上瞼の睫毛生え際の上方横方向に貼着する必要がある。しかし、これらの貼着作業は、睫毛生え際付近の幅の狭い領域に極めて細幅の線材を二度に亘って貼着する作業であり、極めて面倒で技巧を要する作業である。
【０００５】
また、二重瞼形成と付け睫毛形成とを一度の貼着作業で完了できるように、二重瞼形成用線材に付け睫毛となる多数の繊維を配した付け睫毛付き二重瞼形用線材を考えたとしても、そもそも二重瞼が形成される位置と睫毛が生えている位置とは異なり、二重瞼を形成する位置は付け睫毛を貼着する位置より若干上方である。そのため、このような付け睫毛付き二重瞼形用線材を睫毛生え際に沿って貼着しても、付け睫毛だけが形成され、くっきりとした二重瞼の形成は期待できない。また、睫毛生え際の上方横方向に付け睫毛付き二重瞼形用線材を貼着すると、地睫毛が生えている箇所ではないその上方の二重瞼形成のための窪みから睫毛が生えているような見映えとなるので、極めて体裁の悪い状態となる。
【０００６】
また、付け睫毛と二重瞼形成用線材を貼着する二度の作業を一度の作業に簡略するために、特許文献２及び特許文献３に示されるように、二重瞼形成フィルム付き付け睫毛が提案されている。これらの文献に記載されている二重瞼形成フィルム付き付け睫毛は、線材から下向きに多数の繊維よりなる人造睫毛を配列した付け睫毛部と、前記線材の上側に、線材に沿って細幅のプラスチックフィルムを取り付けた二重瞼形成部とからなるものである。この二重瞼形成フィルム付き付け睫毛は、その線材を上瞼の睫毛の生え際に貼着すると共に細幅のプラスチックフィルムを上瞼の睫毛生え際からその上方横方向に貼着することにより、睫毛生え際に付け睫毛部が固定されると共に、睫毛生え際上方は細幅のプラスチックフィルムにより横方向に突っ張った状態となる。この細幅のプラスチックフィルムを貼着した箇所が上瞼を開いたときにそのフィルム上縁が瞼に食い込んでひだを形成することにより二重瞼が形成される。
【先行技術文献】
【特許文献】
【０００７】
【特許文献１】特開２００２−１７７３１６号公報
【特許文献２】実開昭４８−９０８８４号公報
【特許文献３】実開昭４９−４４４９３号公報
【発明の概要】
【発明が解決しようとする課題】
【０００８】
しかしながら、上記の二重瞼形成フィルム付き付け睫毛は、その貼着方法が線材の貼着と細幅プラスチックフィルムの貼着とを同時に行う必要があり、付け睫毛を装着する以上に細幅プラスチックフィルムを具合良く貼着しなければならず技巧や熟練を必要とする。また、細幅のプラスチックフィルムは睫毛生え際上方を横方向に突っ張った状態に貼着するので違和感を感じさせる。さらに瞼を開閉する度に細幅のプラスチックフィルムが瞼に食い込むことになるために不快感を感じさせることがある。しかも、睫毛生え際上方横方向に細幅のプラスチックフィルムを貼着して二重瞼を形成するため、皮膚の皺により形成される自然な二重瞼に比べて、体裁上不自然に見えることは否定できない。
【０００９】
そこで、本発明者は鋭意研究を重ね、付け睫毛を装着するだけで、二重瞼となる皺が皮膚に自然に形成され、これにより一重瞼を二重瞼に変化させる二重瞼形成機能を有する付け睫毛を開発した。
【課題を解決するための手段】
【００１０】
本発明に係る二重瞼形成機能を有する付け睫（以下、単に「付け睫毛」という。）は、弾性的な伸縮性を有しない線材と、該線材に配列した多数の繊維よりなる人造睫毛とからなり、該線材は、目尻側に達する細幅部と目頭側に取り付けられる端部近傍の広幅部とからなることを特徴とするものである。
【００１１】
本発明に係る付け睫毛は、上記のように構成したことにより、線材を上瞼の地睫毛の生え際に取り付けたときに、人造睫毛は付け睫毛としての機能を発揮する。一方、線材における目頭側近傍における広幅部は、これが貼着される箇所において、広幅部の幅だけ上瞼の皮膚の一部が、瞼を開いたときに縮まらないように固定される。そのため、瞼を開いた状態においてこの広幅部は目頭側に断面Ｚ字状のひだを形成し、このひだが目尻方向に伝わって皺を形成し、この皺により二重瞼が形成される。
【００１２】
また、本発明に係る付け睫毛は、広幅部と細幅部との厚みが一定で、広幅部の幅が細幅部の幅の２倍以上で４倍以下であることが好ましい。広幅部の幅が細幅部の幅の２倍未満であると、広幅部により形成される目頭側の断面Ｚ字状のひだの窪みが浅いために、このひだにより形成される皺が目尻側まで伝わらず、したがって綺麗な二重瞼が形成されないおそれがある。また、広幅部の幅が細幅部の幅の４倍を超えると、広幅部により形成される目頭側の断面Ｚ字状のひだの窪みが深くなり、広幅部の幅に上瞼の皮膚の伸びが追従できなくなって違和感を感じさせるおそれがある。
【００１３】
さらに、本発明に係る付け睫毛は、広幅部の長さが３ｍｍ以上で１０ｍｍ以下であることが好ましい。広幅部の長さが３ｍｍ未満であると広幅部により形成される目頭側の断面Ｚ字状のひだの長さが短いために、このひだにより形成される皺が目尻側まで伝わらず、したがって綺麗な二重瞼が形成されないおそれがある。また、広幅部の長さが１０ｍｍを超えると、広幅部により形成される目頭側の断面Ｚ字状のひだの長さが長くなり、上瞼の皮膚が突っ張っるような違和感を感じさせるおそれがある。
【００１４】
さらにまた、本発明に係る付け睫毛は、広幅部が、細幅部から瞼上方側へのみ広げた形態であることが好ましい。広幅部により形成される断面Ｚ字状のひだは、細幅部から瞼上方側へ広げた幅の部分によって形成され、ひだ形成には関与しない細幅部から瞼下方側に広幅部を形成していない。このように広幅部を細幅部から瞼上方側へのみ形成した形態にすると材料が少なくてすみ、製造コストが軽減できる。
【発明の効果】
【００１５】
以上のように、本発明に係る付け睫毛は、合成樹脂製の線材に人造睫毛を取り付けた付け睫毛であって、線材の目頭側近傍が広幅部となっており、この付け睫毛を瞼に取り付けたときに、線材の広幅部を取着した瞼の一部が線材の広幅部の幅広さだけ瞼を広げた状態で固定されることにより、瞼を開いた状態において目頭側に二重のひだが形成され、このひだが目尻方向に皺を形成することにより、二重瞼が形成されるように構成したものである。
【００１６】
したがって、本発明に係る付け睫毛は、線材を上瞼の睫毛の生え際に取り付ける一度の作業により付け睫毛の装着と二重瞼の形成とができるので、化粧時間が短縮できる効果がある。しかも、この作業は従来の付け睫毛を取り付ける作業と同程度の作業であるため、特別な困難が伴わない。また、上瞼に形成された二重瞼は、目頭側のみにおいて線材の広幅部が断面Ｚ字状のひだを形成するのみで、このひだが目尻方向に伝わって形成される皺は皮膚が自然に断面Ｚ字状に折り畳まれて形成されるものであるから不自然さがなく、また装着上、従来の付け睫毛を装着した以上の違和感を与えない。
【図面の簡単な説明】
【００１７】
【図１】本発明の実施例１に係る付け睫毛の正面図である。
【図２】本発明の実施例１に係る線材の正面図である。
【図３】本発明の実施例１に係る線材の広幅部と細幅部の端面を示し、図中の（ａ）は広幅部における図２のIIIa−IIIa線端面拡大説明図であり、図中の（ｂ）は細幅部における図２のIIIb−IIIb線端面拡大説明図である。
【図４】本発明の実施例１に係る付け睫毛を上瞼の睫毛の生え際に取り付けていない状態を示す斜視図である。
【図５】本発明の実施例１に係る付け睫毛を、瞼を閉じた状態において、上瞼の睫毛の生え際に取り付けた状態を示す斜視図である。
【図６】本発明の実施例１に係る付け睫毛を上瞼の睫毛の生え際に取り付けて、瞼を開いた状態を示す斜視図である。
【図７】図６のA1−A2の範囲におけるVII−VII線部分拡大端面図である。
【図８】図６のA1−A2の範囲におけるVIII−VIII線部分拡大端面図である。
【図９】本発明の実施例２に係る付け睫毛の正面図である。
【図１０】本発明の実施例２に係る線材の正面図である。
【図１１】本発明の実施例２に係る線材の広幅部と細幅部の端面を示し、図中の（ａ）は広幅部における図１０のXIa−XIa線端面拡大説明図であり、図中の（ｂ）は細幅部における図１０のXIb−XIb線端面拡大説明図である。
【発明を実施するための形態】
【００１８】
以下、本発明に係る付け睫毛の好適な実施例を図面に基づいて説明する。
【実施例１】
【００１９】
図１において、Ａは本実施例に係る付け睫毛であり、図１において付け睫毛Ａの左側が目頭側に取り付けられ、右側が目尻側に取り付けられる。当該付け睫毛Ａは、線材１０と人造睫毛２０とからなり、人造睫毛２０は付け睫毛として機能するように線材１０に対して既知の方法により取り付けられている。なお、図においては片方の目に装着する付け睫毛Ａを示しているが、もう一方の目に対しては、付け睫毛Ａとは左右対称の付け睫毛となる。
【００２０】
本実施例における線材１０は、弾性的な伸縮性を有さないポリエステルフィラメントにより構成される。なお、線材の材質として使用できる素材は、弾性的な伸縮性を有さない材質を備えていることを条件として、ポリエステルの他、ナイロン、ポリ塩化ビニル（ＰＶＣ）、ポリブチレンテレフタレート（ＰＢＴ）、アクリル、コットンが好適である。なお、線材が弾性的な伸縮性を有していると、付け睫毛を取り付ける際及び着用中に、線材が伸縮することにより人造睫毛の形態が変化して見映えが悪くなるおそれがあるので好ましくない。
【００２１】
上記線材１０は、細幅部１１と目頭側の端部近傍に配された広幅部１２とから構成される。該細幅部１１は基材１１ａにより構成され、該広幅部１２は基材１１ａと基材１１ａに添設された拡張材１２ａとから構成される。したがって、細幅部１１は基材１１ａのみから構成され、広幅部１２は基材１１ａに拡張材１２ａを添設して構成される。すなわち、細幅部１１を構成する基材１１ａは線材１０の全長に亘るものであり、広幅部１２は基材１１ａに拡張材１２ａを添設した部分となる。
【００２２】
本実施例における基材１１ａは、その全長に亘って、５０デニールのポリエステルフィラメントを２本平行に引き揃えて接着した１００デニールのポリエステルフィラメントで構成される。拡張材１２ａを添設した広幅部１２は、基材１１ａを構成する２本のポリエステルフィラメントの両側それぞれに１００デニールのポリエステルフィラメントを１本ずつ平行に引き揃えて接着した合計３００デニールのポリエステルフィラメントで構成される。また、線材１０全体の厚みが均一になるように、細幅部１１と広幅部１２とを扁平に加工する。
【００２３】
このように構成された基材１１ａは、接着剤の分量を含めて、細幅部１１の厚さが約０．２ｍｍで、幅が約０．２ｍｍとなるように構成し、広幅部１２の厚さが約０．２ｍｍで、幅が約０．６ｍｍとなるように構成した。なお、細幅部１１は、厚さが０．１ｍｍ〜０．３ｍｍで、幅が０．１ｍｍ〜０．３ｍｍの範囲が好ましく、厚さ及び幅がこれ以上小さくなると、強度が低下し、保形性がなくなるので取扱い難くなる。また、厚さ及び幅がこれ以上大きくなると、瞼に貼着したときに皮膚が突っ張った状態となるので違和感が生じ、また、見映えが悪くなる。広幅部１２は、厚さが０．１ｍｍ〜０．３ｍｍで、幅が０．５ｍｍ〜１ｍｍの範囲が好ましく、厚さ及び幅がこれ以上小さくなると、強度が低下し、後述するように、この広幅部１２により二重瞼を形成する目的が達成できない。また、厚さ及び幅がこれ以上大きくなると、やはり瞼に貼着したときに皮膚が突っ張った状態となるので違和感が生じ、また、見映えが悪くなる。
【００２４】
本実施例における線材１０は、その長さが約２０ｍｍで構成されており、拡張材１２ａを添設した広幅部１２の長さは約５ｍｍで構成されている。なお、線材１０の長さは、人の瞼の大きさにより、１０ｍｍから睫毛が生えている箇所の長さまでが許容範囲であるが、使用時に適当な長さに切断して使用してもよい。広幅部１２の長さも３〜１０ｍｍの範囲が望ましく、３ｍｍ未満であると二重瞼形成効果が少なく、１０ｍｍを超えると瞼に貼着したときに皮膚が突っ張った状態となるので違和感が生じ、また、見映えが悪くなる。
【００２５】
人造睫毛２０は、その材質として使用できる素材は、細い糸状になるものであれば、どのような素材でも使用できる。例えば、ポリブチレンテレフタレート（ＰＢＴ）、ポリ塩化ビニル（ＰＶＣ）、ポリエステル、ナイロン、アクリル、コットン、人毛、動物毛、羽根、紙等が使用できる。
【００２６】
図４は、本実施例に係る付け睫毛Ａを装着する前における瞼を開けた状態を示し、図５は、本実施例に係る付け睫毛Ａを装着した後における瞼を閉じた状態を示し、図６は、本実施例に係る付け睫毛Ａを装着した後における瞼を開けた状態を示す。図中のＢは眼球、Ｃは上瞼、Ｄは地睫毛を示す。
【００２７】
本実施例に係る付け睫毛Ａは、これを構成する線材１０において、上記のように広幅部１２を有する構成としたことにより、図５に示すように、この付け睫毛Ａの線材１０を、上瞼Ｃを閉じた状態で上瞼Ｃの地睫毛Ｄの生え際に取り付けたときに、線材１０の目頭側近傍における広幅部１２は、上瞼Ｃの下端付近の一部を線材の広幅部１２の幅だけ押し広げる状態で、線材１０が上瞼Ｃの地睫毛Ｄの生え際に貼り付け固定される。したがって、上瞼Ｃを開いた状態においては、人造睫毛２０は付け睫毛としての機能を発揮し、広幅部１２は、図７に示すように、上瞼Ｃの目頭側近傍にくい込むこととなり、広幅部１２の上に瞼が覆い重なって断面Ｚ字状のひだａを形成することになる。
【００２８】
線材１０は、目頭側近傍から上瞼中央及び目尻側へかけて広幅部１２から細幅部１１となり、図８に示すように、断面Ｚ字状のひだａは、広幅部１２から細幅部１１に幅が狭まったことにより、細幅部１１のみの線材１０の上方に、ひだａが中空状態の皺ｂとなって残存し、この皺ｂが目尻方向に伝わりながら深さが徐々に浅くかつ幅が徐々に細くなり、図６に示すように、皺ｂによる自然な二重瞼が形成される。
【実施例２】
【００２９】
実施例２は、実施例１における線材１０の広幅部１２の変更例であり、その他の構成は実施例１と共通するので、共通箇所の説明は省略する。
【００３０】
図９において、Ａ１は本実施例に係る付け睫毛であり、図９において付け睫毛Ａ１の左側が目頭側に取り付けられ、右側が目尻側に取り付けられる。当該付け睫毛Ａ１は、線材１１０と人造睫毛１２０とからなり、人造睫毛１２０は付け睫毛として機能するように線材１１０に対して既知の方法により取り付けられている。本実施例における線材１１０は、実施例１の線材１０と同様の材質で構成される。
【００３１】
上記線材１１０は、細幅部１１１と目頭側の端部近傍に配された広幅部１１２とから構成される。該細幅部１１１は基材１１１ａにより構成され、該広幅部１１２は基材１１１ａと基材１１１ａに添設された拡張材１１２ａとから構成される。したがって、細幅部１１１は基材１１１ａのみから構成され、広幅部１１２は基材１１１ａに拡張材１１２ａを添設して構成される。すなわち、細幅部１１１を構成する基材１１１ａは線材１１０の全長に亘るものであり、広幅部１１２は基材１１１ａに拡張材１１２ａを添設した部分となる。
【００３２】
本実施例における基材１１１ａは、その全長に亘って、５０デニールのポリエステルフィラメントを２本平行に引き揃えて接着した１００デニールのポリエステルフィラメントで構成される。拡張材１１２ａを添設した広幅部１１２は、基材１１１ａを構成する２本のポリエステルフィラメントの一方の側、すなわち人造睫毛１２０とは反対側に１００デニールのポリエステルフィラメントを１本平行に引き揃えて接着した合計２００デニールのポリエステルフィラメントで構成される。また、線材１１０全体の厚みが均一になるように、細幅部１１１と広幅部１１２とを扁平に加工する。
【００３３】
このように構成された基材１１１ａは、接着剤の分量を含めて、細幅部１１１の厚さが約０．２ｍｍで、幅が約０．２ｍｍとなるように構成し、広幅部１１２の厚さが約０．２ｍｍで、幅が約０．４ｍｍとなるように構成した。なお、細幅部１１１は、厚さが０．１ｍｍ〜０．３ｍｍで、幅が０．１ｍｍ〜０．３ｍｍの範囲が好ましく、厚さ及び幅がこれ以上小さくなると、強度が低下し、保形性がなくなるので取扱い難くなる。また、厚さ及び幅がこれ以上大きくなると、瞼に貼着したときに皮膚が突っ張った状態となるので違和感が生じ、また、見映えが悪くなる。広幅部１１２は、厚さが０．１ｍｍ〜０．３ｍｍで、幅が０．３ｍｍ〜５ｍｍの範囲が好ましく、厚さ及び幅がこれ以上小さくなると、強度が低下し、実施例１において説明したように、この広幅部１１２により二重瞼を形成する目的が達成できない。また、厚さ及び幅がこれ以上大きくなると、やはり瞼に貼着したときに皮膚が突っ張った状態となるので違和感が生じ、また、見映えが悪くなる。
【００３４】
本実施例における線材１１０は、その長さが約２０ｍｍで構成されており、拡張材１１２ａを添設した広幅部１１２の長さは約５ｍｍで構成されている。なお、線材１１０の長さは、人の瞼の大きさにより、１０ｍｍから睫毛が生えている箇所の長さまでが許容範囲であるが、使用時に適当な長さに切断して使用してもよい。広幅部１１２の長さも３〜１０ｍｍの範囲が望ましく、３ｍｍ未満であると二重瞼形成効果が少なく、１０ｍｍを超えると瞼に貼着したときに皮膚が突っ張った状態となるので違和感が生じ、また、見映えが悪くなる。人造睫毛１２０は、実施例１における人造睫毛２０と同様の材質で構成される。
【００３５】
本実施例における付け睫毛Ａ１の上瞼への装着方法及び装着構造は、実施例１における図４〜図８をもって説明したとおりであり、これを上瞼に装着すれば、実施例１と同様に自然な二重瞼が形成される。
【００３６】
また、本実施例における付け睫毛Ａ１は、広幅部１１２が、細幅部１１１から瞼上方側へのみ広げた形態であり、広幅部１１２により形成される断面Ｚ字状のひだは、細幅部１１１から瞼上方側へ広げた幅の部分によって形成され、細幅部１１１から瞼下方側へは広幅部を形成していないので、材料が少なくてすみ、製造コストが軽減できる。
【符号の説明】
【００３７】
Ａ・・・付け睫毛
Ｂ・・・眼球
Ｃ・・・上瞼
Ｄ・・・地睫毛
１０・・・線材
１１・・・細幅部
１１ａ・・基材
１２・・・広幅部
１２ａ……拡張材
２０・・・人造睫毛
ａ・・・ひだ
ｂ・・・皺
Ａ１・・・付け睫毛
１１０・・・線材
１１１・・・細幅部
１１１ａ・・基材
１１２・・・広幅部
１１２ａ……拡張材
１２０・・・人造睫毛
【図１】
0005808714.tif 000002
【図２】
0005808714.tif 000003
【図３】
0005808714.tif 000004
【図４】
0005808714.tif 000005
【図５】
0005808714.tif 000006
【図６】
0005808714.tif 000007
【図７】
0005808714.tif 000008
【図８】
0005808714.tif 000009
【図９】
0005808714.tif 000010
【図１０】
0005808714.tif 000011
【図１１】
0005808714.tif 000012